(57)【要約】【課題】光量調節羽根同士の重なり合いにより発生する負荷（反力）を減少させる。【解決手段】光量調節装置は、複数の光量調節羽根１〜７のそれぞれが他の光量調節羽根と重なり合って光通過開口を形成し、該複数の光量調節羽根を回動させることにより光通過開口のサイズを変更する。複数の光量調節羽根はそれぞれ、複数の光量調節羽根が環状に重なり合う部分であり、光通過開口の縁を形成する端縁部を含む開口側部分１ａ（〜７ａ）を、該光量調節羽根の回動方向において端縁部１ｅ（〜７ｅ）に向かって厚さが減少するように形成された薄肉部を有する。【選択図】図１
2014030356.tif 000002
【特許請求の範囲】
【請求項１】
複数の光量調節羽根のそれぞれが他の光量調節羽根と重なり合って光通過開口を形成し、該複数の光量調節羽根が回動することにより前記光通過開口のサイズが変更される光量調節装置であって、
前記複数の光量調節羽根はそれぞれ、前記複数の光量調節羽根が環状に重なり合う部分であり、前記光通過開口の縁を形成する端縁部を含む開口側部分に該光量調節羽根の回動方向において前記端縁部に向かって厚さが減少するように形成された薄肉部を有することを特徴とする光量調節装置。
【請求項２】
前記薄肉部における厚さ方向両面がなす角度または該両面の接線同士がなす角度が、３０度以下であることを特徴とする請求項１に記載の光量調節装置。
【請求項３】
前記薄肉部の前記回動方向での幅が、前記薄肉部の最大厚さの３倍以上、３０倍以下であることを特徴とする請求項１または２に記載の光量調節装置。
【請求項４】
前記薄肉部の前記回動方向での幅が、前記光通過開口が最小絞り開口径の直径よりも広いことを特徴とする請求項１から３のいずれか一項に記載の光量調節装置。
【請求項５】
前記複数の光量調節羽根の周縁に面取り部が形成されており、
前記薄肉部が前記面取り部とは別に形成されていることを特徴とする請求項１から４のいずれか一項に記載の光量調節装置。
【請求項６】
前記複数の光量調節羽根の開口側部分に、中空シェル状の構造を有するカーボンブラックを含有することを特徴とする請求項１から５のいずれか一項に記載の光量調節装置。
【請求項７】
前記薄肉部は、前記複数の光量調節羽根の重なり合いにより発生する負荷または反力を低減するための形状を有することを特徴とする請求項１から６のいずれか一項に記載の光量調節装置。
【請求項８】
前記薄肉部は、前記端縁部に達するまで厚さが減少するように形成されることを特徴とする請求項１から７のいずれか一項に記載の光量調節装置。
【請求項９】
前記光量調節羽根の周縁のうち前記光通過開口のサイズが最大となる部分よりも内側に進入する部分の端部には、前記薄肉部または前記面取り部が設けられていることを特徴とする請求項５から８のいずれか一項に記載の光量調節装置。
【請求項１０】
前記薄肉部は、前記端縁部に向かって厚さが連続的に減少するように形成されていることを特徴とする請求項１から９のいずれか一項に記載の光量調節装置。
【請求項１１】
請求項１から１０のいずれか一項に記載の光量調節装置を有することを特徴とする光学機器。
【発明の詳細な説明】
【技術分野】
【０００１】
本発明は、撮像装置や交換レンズ等の光学機器に搭載される光量調節装置に関する。
【背景技術】
【０００２】
上記のような光量調節装置（絞り装置）において形成される光通過開口としての絞り開口の形状は、できるだけ円形に近い方が好ましく、円形に近い絞り開口を形成するために３枚以上の多数枚の絞り羽根（光量調節羽根）が用いられる場合が多い。【０００３】
特許文献１には、ベース部材に形成した固定開口の周囲で回動可能な駆動リングによって多数枚の絞り羽根を回動させることで、円形に近い多角形の絞り開口を形成する虹彩絞り装置が開示されている。
【先行技術文献】
【特許文献】
【０００４】
【特許文献１】実開平２−４８９２８号公報
【発明の概要】
【発明が解決しようとする課題】
【０００５】
しかしながら、特許文献１にて開示されているような虹彩絞り装置において、絞り羽根同士の重なり合いにより発生する負荷が大きすぎる場合がある。
本発明は、光量調節羽根同士の重なり合いにより発生する負荷を減少させることができるようにした光量調節装置およびこれを備えた光学機器を提供する。
【課題を解決するための手段】
【０００６】
本発明の一側面としての光量調節装置は、複数の光量調節羽根のそれぞれが他の光量調節羽根と重なり合って光通過開口を形成し、該複数の光量調節羽根が回動することにより光通過開口のサイズが変更される光量調節装置であって、複数の光量調節羽根はそれぞれ、複数の光量調節羽が環状に重なり合う部分であり、光通過開口の縁を形成する端縁部を含む開口側部分に該光量調節羽根の回動方向において端縁部に向かって厚さが減少するように形成された薄肉部を有することを特徴とする。
なお、上記光量調節装置を備えた光学機器も、本発明の他の一側面を構成する。
【発明の効果】
【０００７】
本発明によれば、光量調節羽根同士の重なり合いにより発生する負荷を低減させることができる。
【図面の簡単な説明】
【０００８】
【図１】本発明の実施例である絞り装置の分解斜視図。
【図２】実施例の絞り装置に用いられる絞り羽根の平面図および断面図。
【図３】実施例の絞り装置の中間絞り状態での絞り羽根を光軸方向から見た図。
【図４】実施例の絞り装置の小絞り状態での絞り羽根を光軸方向から見た図。
【図５】実施例の絞り装置の小絞り状態での絞り羽根の反りを示す斜視図。
【図６】実施例の絞り装置を搭載した撮像装置の断面図。
【図７】従来の絞り装置の小絞り状態での絞り羽根の反りを示す斜視図。
【図８】従来の絞り装置を搭載した撮像装置の断面図。
【発明を実施するための形態】
【０００９】
以下、本発明の実施例について図面を参照しながら説明する。
【００１０】
本発明の実施例としての光量調節装置では、複数の光量調節羽根のそれぞれが他の光量調節羽根と重なり合って光通過開口を形成し、該複数の光量調節羽根が回動することにより光通過開口のサイズが変更される。そして、光量調節羽根は、複数の光量調節羽根が環状に重なり合う部分であり、光通過開口の縁を形成する端縁部を含む開口側部分に該光量調節羽根の回動方向において端縁部に向かって厚さが減少するように形成された薄肉部を有することを特徴とする。端縁部に向かって厚さが減少するように形成される薄肉部を有することによって、羽根同士が重なる部分に生じる反力が小さくなる。また、羽根同士が重なる部分に生じる反力が小さくなることによって、絞り開口の口径をより小さい口径まで絞り易くなる。
【００１１】
ここで、「薄肉部」は、複数の光量調節羽根を環状に重なり合うように配置したときの重なり合う部分の縁、すなわち光通過開口を形成する端縁部を含む開口側部分において、当該端縁部に向かって厚さが減少する部分のことである。この薄肉部は、羽根同士の重なり合いによって発生する相互の負荷（摩擦等の物理的な干渉による抵抗）を低減すべく、所望の形状で構成することが可能である。例えば、薄肉部に相当する羽根の断面形状においては、光通過開口側の縁に向かうほど厚さが小さくなる鋭角状のくちばし形状であってもよい。あるいは、薄肉部において光通過開口側の縁に向かって厚さが連続的に減少する三角形状であってもよい。いずれにしても、薄肉部によって羽根同士の重なり合いによる相互の負荷を低減できればよいので、薄肉部の形状は光軸方向において表面の少なくとも一部が凸状あるいは凹状の表面形状を有するように形成してもよい。
【００１２】
なお、複数の光量調節羽根は、回動させて光通過開口を形成する関係から、少なくとも相互に接触する表面において回動方向の動作を制限するような段差を設けることは好ましくない。このため、複数の光量調節羽根の相互に接触する部分の表面形状は、比較的滑らかな表面形状であることが好ましい。
【００１３】
また、複数の光量調節羽根においては、薄肉部によって軽量化にも有効であることから、高速動作と円滑動作の両方を実現することができる。
【００１４】
これらのことから、薄肉部は、光通過開口側の縁において角を削って設けた面取りレベルでは効果は非常に限定的であり、光量調節羽根の可動範囲において相互に重なり合う部分に亙って、羽根表面を構成するように比較的広範囲に設けることが好ましい。
【００１５】
また、光量調節羽根の光通過開口側の端縁部のうち、特に中央部分、すなわち光通過開口を形成する部分のみに薄肉部を形成すればよく、場合によって光通過開口の形成に関与しない羽根先端や基端側まで積極的に設けなくてもよい。しかし、羽根同士の干渉を効果的に低減するためには、光通過開口の端縁部に亙って少なからず薄肉部を設けることが好ましい。なお、光量調節羽根のような構成は、薄くして軽量化するのが好ましいが、薄くし過ぎると返って安定した光通過開口を形成することが難しくなる。したがって、光量調節羽根には、ある程度の厚さは必要である一方、あまり厚過ぎると羽根の円滑動作が難しくなり羽根相互の干渉も強くなる傾向となる。実施例では、このような観点に立ち、羽根同士が干渉する部分において広範囲に羽根の表面の一部を形成する薄肉部を設けて相互干渉を減らしつつ、薄肉部以外の厚肉部によって羽根としての必要な剛性を確保することによって、円滑動作を実現しつつ、光通過開口を安定的に形成することを可能とするものである。なお、実施例では、各光量調節羽根の光通過開口側の端縁部に達するまで薄肉部が形成されているので、当該光量調節羽根の端縁部では乱反射を防止することができる。
【００１６】
また、実施例にて用いられる光量調節羽根は、以下のように言い換えることもできる。すなわち、各光量調節羽根のうち他の光量調節羽根と重なり合う部分であり、光通過開口の縁を形成する端縁部を含む開口側部分が、該重なり合いによる反力（反り）を低減するために該光量調節羽根の回動方向において端縁部に向かって厚さが連続的に減少するように形成されている。これにより、複数の羽根同士による反りを抑えて、最小絞り口径に絞った場合に、カム部材、回転部材および押さえ部材等から構成される光量調節装置のベース部材の筐体内に光量調節羽根を留めることができる。光量調節羽根を光量調節装置の筐体の外に反りあがらないようにすることで、光量調節装置の配置を撮像装置のレンズ等と近づけることができ、光量調節装置を搭載した光学機器を小型化することができる。
【００１７】
図１には、本発明の実施例である光量調節装置としての虹彩絞り装置を分解して示す。また、図２には、該絞り装置に使用される光量調節羽根としての複数の絞り羽根のうち１枚の絞り羽根の正面から見た形状とＡ−Ａ線での断面とを示している。
【００１８】
図１において、１，２，３，４，５，６，７は絞り羽根である。本実施例では、７枚の絞り羽根を用いる場合について説明するが、本発明は、３枚以上の複数の絞り羽根（光量調節羽根）を使用する絞り装置に適用することができる。以下の説明において、絞り羽根１，２，３，４，５，６，７を絞り羽根１〜７と略記し、また該絞り羽根１〜７のそれぞれの部分についても１ｘ〜７ｘのように略記する。
【００１９】
絞り羽根１〜７は、合成樹脂により薄板状に形成された一体成型部品である。絞り羽根１〜７はそれぞれ、図２に示すように、回動中心軸となる第１軸部１ｃ〜７ｃおよび回動のための駆動力が入力される被駆動軸である第２軸部１ｄ〜７ｄが互いに反対側の面に形成された基部と、基部から先端に向かって先細り形状に形成された羽根部１ｂ〜７ｂとを有する。そして、羽根部１ｂ〜７ｂには、後で詳しく説明する傾斜部（薄肉部）１ａ〜７ａが形成されている。これら絞り開口を形成する端縁部に向かって厚さが減少する傾斜部１ａ〜７ａが環状に重なり合うことで、羽根同士に生じる反力を従来よりも低減することができる。羽根同士に生じる反力を低減することで、円滑な絞り動作を行えるとともに、羽根同士の反力による反り量を低減することができる。
【００２０】
また、図１において、８はリング状に形成された回転部材であり、その中央には開口部８ａが形成されている。以下の説明において、この開口部８ａおよび後述する部材（９，１０）に形成された開口部（９ａ，１０ａ）の開口面に直交する方向を光軸方向という。回転部材８には、その周方向７箇所に形成された軸穴部８ｂ〜８ｈと、周方向に７つに分割された突条部８ｉと、周方向一部に形成されたギア部８ｊとを有する。また、回転部材８の周方向１箇所には、遮光部８ｋが形成されている。
【００２１】
９はリング状に形成されたカム部材であり、本実施例の絞り装置のベース部材を兼ねている。カム部材９の中央には、開口部９ａが形成されている。また、カム部材９には、その周方向７箇所にカム溝部９ｂ〜９ｈが形成されている。さらに、カム部材９の周方向１箇所には、穴部９iとモータ取り付け部９ｊが設けられている。
【００２２】
１０はリング状に形成された押さえ部材であり、その中央には開口部１０ａが形成されている。
【００２３】
１１は回転部材８を駆動するステッピングモータである。ステッピングモータ１１の出力軸には、ピニオンギア１２が該出力軸と一体回転するよう取り付けられている。ステッピングモータ１１は、カム部材９のモータ取り付け部９ｊに固定され、ピニオンギア１２は、カム部材９の穴部９ｉを貫通して回転部材８のギア部８ｊと噛み合う。なお、ステッピングモータ１１を、押さえ部材１０に固定してもよい。回転部材８、カム部材９、ステッピングモータ１１およびピニオンギア１２により、本実施例の絞り装置の駆動機構が構成される。
【００２４】
１３は位置センサであり、フォトインタラプタにより構成されている。位置センサ１３の投光部と受光部との間に回転部材８に形成された遮光部８ｋが入り込むことにより、回転部材８がその初期位置にあることを検知することができる。ここにいう初期位置は、絞り羽根１〜７によって形成される絞り開口の径（サイズ）が所定の開放開口径となる位置である。位置センサ１３により検出された初期位置を基準として、ステッピングモータ１１に与える駆動パルス信号の数をカウントすることで、絞り開口径を制御し、光量を調節することができる。
【００２５】
押さえ部材１０は、カム部材９との間に絞り羽根１〜７および回転部材８をこの順で配置する空間を形成してカム部材９に固定されることで、カム部材９に対する回転部材８および絞り羽根１〜７の脱落を防止する。回転部材８に形成された突条部８ｉは、押さえ部材１０の開口部１０ａ内に回転可能に挿入される。回転部材８は、突条部８ｉの外周面が押さえ部材１０の開口部１０ａの内周面に対して摺動することで、周方向（光軸回り方向）にて回転可能に支持される。
【００２６】
また、絞り羽根１〜７の第１軸部１ｃ〜７ｃはそれぞれ、回転部材８に形成された軸穴部８ｂ〜８ｈに回動可能に挿入される。一方、第２軸部１ｄ〜７ｄはそれぞれ、カム部材９に形成されたカム溝部９ｂ〜９ｈに挿入される。
【００２７】
カム部材９に固定されたステッピングモータ１１が駆動されてピニオンギア１２が回転すると、該ピニオンギア１２にギア部８ｊが噛み合っている回転部材８も回転する。これにより、絞り羽根１〜７は、第２軸部１ｄ〜７ｄがカム部材９のカム溝部９ｂ〜９ｈに沿って移動し（すなわち、第２軸部１ｄ〜７ｄがカム溝部９ｂ〜９ｈから駆動力を受けて）、第１軸部１ｃ〜７ｃを中心に回動する。
【００２８】
絞り羽根１〜７は、周方向にて均等間隔で配置されており、それぞれの羽根部１ｂ〜７ｂが他の絞り羽根の羽根部と重なり合うことで、それらの内側に光通過開口である絞り開口を形成する。そして、絞り羽根１〜７が回動することで羽根部１ｂ〜７ｂの重なり量が変化するとともに、絞り開口径が連続的に変更される。絞り羽根１〜７（羽根部１ｂ〜７ｂ）の重なり量が大きいほど絞り開口径は小さくなる。以下の説明において、各絞り羽根が回動する方向を羽根回動方向という。
【００２９】
図６には、上記のように構成された絞り装置を搭載した撮像装置の構成を示している。１４は絞り装置の像側に隣接して配置されたレンズであり、１３は該レンズ１４および絞り装置を含む撮影光学系により形成された被写体像を光電変換する撮像素子である。
【００３０】
ここで、従来の虹彩絞り装置およびこれを搭載した撮像装置が有する問題について説明する。図８には、従来の虹彩絞り装置を搭載した撮像装置の構成を示している。１０１は絞り装置のベース部材であり、１０３はベース部材１０１の固定開口の周囲で回動可能な駆動リングである。１０６は駆動リング１０３を回動させるアクチュエータであり、１０５は駆動リング１０３によってベース部材１０１に設けられた軸部（図示せず）を中心として回動される複数の絞り羽根である。さらに、１１４は絞り装置に隣接して配置されたレンズであり、１１３は該レンズ１１４および絞り装置を含む撮影光学系により形成された被写体像を光電変換する撮像素子である。
【００３１】
図８には、複数の絞り羽根１０５を絞り込んで小絞り開口を形成した状態（小絞り状態）を示している。また、図７には、この小絞り状態での複数の絞り羽根１０５を拡大して示している。絞り開口を絞り込んでいくと、複数の絞り羽根１０５は、その先端同士が互いに重なり合うことでレンズ１１４側に反っていく。このため、この反った絞り羽根１０５とレンズ１１４との干渉を避けるために、絞り装置に対するレンズ１１４の退避スペースｈ′を予め確保しておく必要がある。この結果、撮像装置が大型化する。
【００３２】
また、この羽根同士の重なり合いにより発生する負荷によって、絞り羽根に傷が生じ、傷での光の反射によって光学特性が劣化するおそれがある。
【００３３】
さらに、絞り羽根はある程度の肉厚を有するため、絞り羽根の厚みが絞り開口の開口面に対して大きな段差となり、いわゆる小絞り回折が発生して光学性能が劣化し易い。
【００３４】
これに対して、実施例の光量調節装置では、複数の絞り羽根を絞り込んだ状態での羽根同士の重なり合いにより発生する反力（およびこれに起因する羽根の反り）を低減することができ、さらに羽根同士の重なり合いにより発生する負荷を減少させたり小絞り回折を抑制したりすることができる。
【００３５】
このように各絞り羽根の開口側部分を端縁部に向かって厚さが連続的に減少するように形成することで、複数の絞り羽根を絞り込んだ状態での羽根同士の重なり合いによる反りを低減するので、光量調節装置を厚さ方向にて小型化することができる。このため、実施例の光量調節装置を搭載した光学機器の光学性能を向上させることができる。しかも、開口側部分が上記のように形成されることで、羽根同士の重なり合いにより発生する負荷を低減して羽根に傷が付くことを防止したり、羽根と光通過開口との段差を小さくして光学性能の劣化を抑制したりすることもできる。
【００３６】
図７および図８を用いて説明したように、従来の絞り装置では、複数の絞り羽根１０５を絞り込んで小絞り開口を形成した小絞り状態では、複数の絞り羽根１０５は、それらの先端同士の重なり合いによって光軸方向（レンズ１１４側）に大きく反る。
【００３７】
この小絞り状態での羽根反りの問題を解消するためにも、本実施例では、各絞り羽根（１〜７）の羽根部（１ｂ〜７ｂ）を以下のように形成している。図２および図３に示すように、各絞り羽根の羽根部のうち他の絞り羽根の羽根部と重なり合う部分（複数の絞り羽根が環状に重なり合う部分）であり、かつ絞り開口の縁を形成する端縁部（１ｅ〜７ｅ）を含む部分を、開口側部分（１ａ〜７ａ）という。そして、本実施例では、この開口側部分（１ａ〜７ａ）を、該重なり合いによる反力（反り）を低減するために羽根回動方向において端縁部（１ｅ〜７ｅ）に向かって厚さが連続的に減少する傾斜部（薄肉部）として形成している。図２では、羽根回動方向を、Ａ−Ａ線に沿った方向として示している。なお、図３には、小絞り開口より大きい絞り開口径を形成している絞り羽根１〜７を回転部材８側から（左図）とカム部材９側から（右図）見て示している。また、図４は、小絞り開口を形成している絞り羽根１〜７を回転部材８側から（左図）とカム部材９側から（右図）見て示している。
【００３８】
図２では、「端縁部に向かって厚さが連続的に減少する」形状の例として、開口側部分（１ａ〜７ａ）における厚さ方向両面うち回転部材８側の面（第１の面）が、カム部材９側の面（第２の面）に対して一定の傾き角度θで傾いた傾斜面である場合を示している。この例は、端縁部に向かって厚さが連続的に、かつ一定の割合で減少する例でもある。ただし、「端縁部に向かって厚さが連続的に減少する」形状はこれに限られず、第１の面と第２の面が共に羽根部（１ｂ〜７ｂ）のうち開口側部分（１ａ〜７ａ）以外の平行平板状の部分に対してどのような割合で減少して傾斜する傾斜面であってもよい。この場合の第１の面と第２の面とのなす角度（傾き角度）θは、１度以上、３０度以下のくちばし状であることが望ましい。さらに言えば、角度θが小さいほど羽根反りが低減することから、角度θは２０度以下や１０度以下である緩やかな先細り形状とすることがより望ましい。θを３０度以下とすることで、複数の絞り羽根を絞り込む状態での絞り羽根同士の重なり合いによる反りを連続的に緩やかに変化させることができる。このため、絞り羽根の急激な反り上がりによる羽根の傷付きと変形とを防止することができる。また、θを小さくするにつれて複数の羽根同士の重なり合いによる負荷変動も低減され、絞り装置としての動作不良を防止することもできる。
【００３９】
また、第１の面と第２の面のうち少なくとも一方が傾斜面のような平面形状ではなく曲面形状として形成されることにより、端縁部に向かって厚さが連続的に減少するものの、その減少率が一定でなくてもよい。この場合の第１の面と第２の面のなす接線同士がなす角度（上述した傾き角度に相当する角度の範囲）も、１度以上、３０度以下であることが望ましく、２０度以下や１０度以下であることがより望ましい。
【００４０】
さらに、開口側部分（１ａ〜７ａ）の羽根回動方向での幅Ｗは、該開口側部分の最大厚さＴの３倍以上、３０倍以下であることが望ましい。幅Ｗは、絞り開口径が変化しても絞り開口の端縁部から羽根同士が反り合って離れる部分よりも手前の羽根同士が重なる部分全域に渡って肉厚の羽根部よりも薄肉となる部分が形成されることによって、羽根同士の反力をより低減することができる。角度θが小さいほど幅Ｗの最大厚さＴに対する倍率は大きくなる。また、本実施例（図２）では、開口側部分（１ａ〜７ａ）が、羽根部（１ｂ〜７ｂ）における羽根回動方向の一部に形成されている場合について説明しているが、羽根部（１ｂ〜７ｂ）における羽根回動方向の全体に形成されていてもよい。
【００４１】
加えて、各絞り羽根（１〜７）の開口側部分（１ａ〜７ａ）は、端縁部（１ｅ〜７ｅ）に一定の厚さの部分を有してもよい。「端縁部に向かって厚さが連続的に減少する」は、必ずしも端縁部まで一定の厚さの部分を含まないように厚さが連続的に減少することまでを必要としない。
【００４２】
本実施例のように端縁部に向かって厚さが連続的に減少する場合と、単に厚さを薄く形成した端縁部と羽根部の厚さとを同じとした（つまり絞り羽根の全体が薄い）場合とを、端縁部が同じ厚さであるとして比較すると、本実施例の方が絞り羽根の強度が向上する。このため、絞り羽根に必要な強度を確保するためにも、端縁部に向かって厚さが連続的に減少するように開口側部分を形成することにより、端縁部の厚さが薄いにもかかわらず、高い羽根強度を有する絞り羽根を実現することができる。
【００４３】
なお、図２に示すように、本実施例の絞り羽根（１〜７）の周縁には面取り部（１ｆ〜７ｆ）が形成されているが、開口側部分（１ａ〜７ａ）は該面取り部とは別に、言い換えれば、面取り部より大きな幅Ｗを有するように形成されている。面取り部には、角を除去する効果しかなく、開口側部分（１ａ〜７ａ）のように絞り羽根同士の重なり合いによる羽根反りを低減する効果は全くない。面取り部（１ｆ〜７ｆ）は角を除去することによって、光路内での光の乱反射を防止している。従って、ベース部材の開口を通って撮像素子への光路となる部分には薄肉部（１ａ〜７ａ）または面取り部（１ｆ〜７ｆ）が設けられることが好ましい。従って、光通過開口のサイズが最大となる部分よりも内側に進入する部分のうち端縁部（１ｅ〜７ｅ）に達するまで厚さが連続的に減少する傾斜部（薄肉部）（１ａ〜７ａ）が設けられていない部分には、面取り部（１ｆ〜７ｆ）が設けられることが好ましい。
【００４４】
厚肉部の縁部に面取り部を設けることで、入射光または撮像素子からの反射光の乱反射を防止でき、図２に示すように、絞り羽根のうち回動してベース部材の開口部分に進入する部分には、乱反射を防止する形状とすることが好ましい。このため、実施例において、各絞り羽根の薄肉部に隣接して厚肉部の面取り部を設けることによって光の乱反射を防止し、該絞り羽根の強度向上を図ることができる。また、絞り羽根（１〜７）の周縁には、羽根の先端側から開口側部分（１ａ〜７ａ）及び、第１軸部（１ｃ〜７ｃ）側から開口側部分（１ａ〜７ａ）にかけて、羽根の厚さが連続的または段階的に減少するように、厚み変化部分（１ｇ〜７ｇ）が設けられている。厚み変化部分（１ｇ〜７ｇ）によって、それぞれの開口側部分（１ａ〜７ａ）の厚さを薄くしても強度を確保しやすい。また、本実施例の絞り羽根（１〜７）には、樹脂材料による一体成形の際に、遮光材料としてケッチェンブラックＥＣ３００Ｊ（ライオン株式会社製）を添加した。ケッチェンブラックＥＣ３００Ｊは、中空シェル状の構造を有するカーボンブラックであり、導電性に優れるとともに、樹脂に同重量のカーボンブラックを混練した際の重量混合割合において、粒子内が充填されたカーボンブラックよりも遮光性に優れる。そのため本実施例の絞り羽根は、肉厚の薄い部分がある絞り羽根においても光線漏れを起こしにくい。また、ケッチェンブラックＥＣ３００Ｊは、導電性に優れるため、絞り羽根（１〜７）を傾斜させて表面積が増加している場合にも、帯電を防止しゴミ、塵等が付着しにくい。
【００４５】
以上説明した本実施例によれば、各絞り羽根（１〜７）の羽根部（１ｂ〜７ｂ）に、羽根回動方向において端縁部（１ｅ〜７ｅ）に向かって厚さが連続的に減少する開口側部分（１ａ〜７ａ）を形成することで、図５および図６に示すように羽根反りを低減することができる。図５には、小絞り状態での絞り羽根１〜７を拡大して示している。図６においてＨは本実施例での小絞り状態での羽根反り量を示しており、図８に示した従来の絞り装置の羽根反り量Ｈ′に比べて少ない。そして、羽根反り量が少ないことで、絞り装置に対して羽根反りの方向に隣接したレンズその他の光学部材の絞り装置からの退避スペースｈを、従来の退避スペースｈ′に比べて小さくすることが可能であり、その分、撮像装置を小型化することができる。
【００４６】
さらに、本実施例では、開口側部分（１ａ〜７ａ）を形成することで、絞り羽根（１〜７）が重なり合って回動するときに発生する負荷を低減することができる。具体的には、図３および図４に示すように、各絞り羽根（１ａ〜７ａ）は、その開口側部分（１ａ〜７ａ）の傾斜面（第１の面）上を他の絞り羽根の開口側部分の平面（第２の面）が摺動しながら回動して絞り開口径を増減させる。このとき、開口側部分（１ａ〜７ａ）が端縁部（１ｅ〜７ｅ）に向かって厚さが連続的に減少するように薄く形成されていることで、絞り羽根同士の摺動性が良好となり、負荷の発生を抑えることができる。このため、絞り装置の良好な動作特性を得ることができるとともに、各絞り羽根に傷が付くことを防止することができる。
【００４７】
なお、本実施例では、小絞り状態での最小絞り開口径として、直径１ｍｍ以下という極めて小さな絞り開口径を想定しており、このような極めて小径の小絞り状態を少ない羽根反り量、かつ小さな摺動負荷で実現できる点が、従来とは異なる本実施例の特徴である。そして、開口側部分（１ａ〜７ａ）の羽根回動方向での幅Ｗを最小絞り開口径の直径よりも広くするようにすれば、最小絞り開口径に絞る際の摺動性がより良好となる。
【００４８】
また、本実施例では、開口側部分（１ａ〜７ａ）の端縁部（１ｅ〜７ｅ）が薄いため、絞り羽根（１〜７）の厚みが絞り開口の開口面に対して大きな段差とならず、該段差が大きいことによる光学性能の劣化を防止することができる。
以上説明した各実施例は代表的な例にすぎず、本発明の実施に際しては、各実施例に対して種々の変形や変更が可能である。
【産業上の利用可能性】
【００４９】
良好な絞り開口形状を有する小型の光量調節装置およびこれを搭載した小型の光学機器を提供できる。
【符号の説明】
【００５０】
１〜７  絞り羽根
８  回転部材
９  カム部材
１０  押さえ部材
１１  ステッピングモータ
【図１】
2014030356.tif 000003
【図２】
2014030356.tif 000004
【図３】
2014030356.tif 000005
【図４】
2014030356.tif 000006
【図５】
2014030356.tif 000007
【図６】
2014030356.tif 000008
【図７】
2014030356.tif 000009
【図８】
2014030356.tif 000010
【手続補正書】
【提出日】平成26年1月17日(2014.1.17)
【手続補正１】
【補正対象書類名】特許請求の範囲
【補正対象項目名】全文
【補正方法】変更
【補正の内容】
【特許請求の範囲】
【請求項１】
複数の光量調節羽根のそれぞれが他の光量調節羽根と重なり合って光通過開口を形成し、該複数の光量調節羽根が回動することにより前記光通過開口のサイズが変更される光量調節装置であって、
前記複数の光量調節羽根はそれぞれ、該光量調節羽根の回動方向における前記光通過開口側とは反対側の端部を形成する厚肉部と、前記複数の光量調節羽根が環状に重なり合う部分であり、前記光通過開口の縁を形成する端縁部を含む開口側部分に該光量調節羽根の回動方向において前記厚肉部から前記端縁部に向かって厚さが減少するように形成された薄肉部とを有し、
前記薄肉部は、前記複数の光量調節羽根のそれぞれに部分的に設けられていることを特徴とする光量調節装置。
【請求項２】
前記薄肉部における厚さ方向両面がなす角度または該両面の接線同士がなす角度が、３０度以下であることを特徴とする請求項１に記載の光量調節装置。
【請求項３】
前記薄肉部の前記回動方向での幅が、前記薄肉部の最大厚さの３倍以上、３０倍以下であることを特徴とする請求項１または２に記載の光量調節装置。
【請求項４】
前記薄肉部の前記回動方向での幅が、前記光通過開口が最小絞り開口径の直径よりも広いことを特徴とする請求項１から３のいずれか一項に記載の光量調節装置。
【請求項５】
前記複数の光量調節羽根の周縁に面取り部が形成されており、
前記薄肉部が前記面取り部とは別に形成されていることを特徴とする請求項１から４のいずれか一項に記載の光量調節装置。
【請求項６】
前記複数の光量調節羽根の前記開口側部分に、中空シェル状の構造を有するカーボンブラックを含有することを特徴とする請求項１から５のいずれか一項に記載の光量調節装置。
【請求項７】
前記薄肉部は、前記複数の光量調節羽根の重なり合いにより発生する負荷または反力を低減するための形状を有することを特徴とする請求項１から６のいずれか一項に記載の光量調節装置。
【請求項８】
前記薄肉部は、前記端縁部に達するまで厚さが減少するように形成されていることを特徴とする請求項１から７のいずれか一項に記載の光量調節装置。
【請求項９】
前記光量調節羽根の周縁のうち前記光通過開口のサイズが最大となる部分よりも内側に進入する部分の端部には、前記薄肉部または前記面取り部が設けられていることを特徴とする請求項５から８のいずれか一項に記載の光量調節装置。
【請求項１０】
前記薄肉部は、前記端縁部に向かって厚さが連続的に減少するように形成されていることを特徴とする請求項１から９のいずれか一項に記載の光量調節装置。
【請求項１１】
請求項１から１０のいずれか一項に記載の光量調節装置を有することを特徴とする光学機器。
【国際調査報告】
2014030356.tif 000011
2014030356.tif 000012